(57)【特許請求の範囲】
【請求項１】
空気調和機の筐体における表面汚染部を目視にて検査するため、前記筐体の表面に重ねて用いる検査用シート（１）であって、
一枚又は複数枚の透明シート（１ｔ）を有し、
前記透明シートは、複数の透過率を有する複数の領域（２ａ〜２ｇ）を備えており、
前記複数の領域は、それぞれが一つの透過率を有しており、
前記複数の領域は、前記表面汚染部の明度を判断するための明度判断部（３）と、前記表面汚染部の大きさを判断するための大きさ判断部（４）と、を形成するように配置されており、
前記大きさ判断部においては、前記表面汚染部の大きさと比較するための基準長が、前記複数の領域のうち少なくとも一つの領域を含む判断用領域（５）と、前記複数の領域のうち前記判断用領域に隣接する少なくとも一つの領域と、の境界線上における２点の間の距離として規定されていることを特徴とする検査用シート（１）。
【請求項２】
前記複数の領域においては、複数の前記透過率が段階的に変化するように設定されており、
前記大きさ判断部においては、複数の前記基準長が、前記段階的に変化する複数の前記透過率に対応して段階的に変化するように規定されていることを特徴とする請求項１に記載の検査用シート。
【請求項３】
前記複数の領域は、第１領域（６）と、前記第１領域に対して透過率が異なる第２領域（７）と、を有して構成され、
前記第２領域は、前記第１領域中に配置された単数または複数の帯状部として形成されており、
前記判断用領域は前記第２領域であり、前記帯状部における前記基準長は、当該帯状部の幅の長さであることを特徴とする請求項１又は２に記載の検査用シート。
【請求項４】
前記複数の領域は、第１領域（４０６）と、前記第１領域に対して透過率が異なる第２領域（４０７）と、を有して構成され、
前記第２領域は、前記第１領域中に配置された単数または複数の島状部として形成されており、
前記判断用領域は前記第２領域であり、前記島状部における前記基準長は、当該島状部の径の長さであることを特徴とする請求項１又は２に記載の検査用シート。
【請求項５】
前記複数の領域は、第１領域（６０６）と、前記第１領域に対して透過率が異なる第２領域（６０７）と、を有して構成され、
前記第２領域は、対向する直線状の二辺を有して形成された単数または複数の第３領域（６０８）を含み、
前記第２領域における一つの前記第３領域は、前記二辺、又は、前記二辺の延長線が交わるように形成され、且つ、前記二辺の内側において前記第１領域と隣接しており、
前記判断用領域は前記第２領域であり、前記第３領域における前記基準長は、当該第３領域の所定位置における前記二辺の間の長さであることを特徴とする請求項１又は２に記載の検査用シート。
【請求項６】
前記判断用領域には、少なくとも一つの無着色領域が隣接し、
前記判断用領域は、前記無着色領域よりも透過率が低い着色領域であることを特徴とする請求項１乃至５のいずれか１項に記載の検査用シート。
【請求項７】
前記複数の領域は、一対の領域からなる領域対を複数有しており、
複数の前記領域対のそれぞれにおいて、前記一対の領域の前記透過率は同一であり、
複数の前記領域対においては、複数の前記透過率が段階的に変化するように設定されており、
複数の前記領域対のそれぞれにおいて、前記判断用領域は、前記一対の領域の間に挟まれつつ前記一対の領域に隣接し、且つ、前記判断用領域における前記透過率は、当該領域対における前記透過率とは異なり、
前記大きさ判断部においては、複数の前記基準長が、前記段階的に変化する複数の前記透過率に対応して段階的に変化するように規定されていることを特徴とする請求項１に記載の検査用シート。
【請求項８】
前記複数の領域は、複数の第４領域（１００６）と、複数の第５領域（１００７）と、を有して構成され、
前記複数の第５領域のそれぞれは、前記複数の第４領域のそれぞれにおいて島状部として配置され、
前記複数の第４領域のそれぞれにおいて、当該第４領域に配置された前記第５領域は、当該第４領域に対して透過率が異なり、
前記複数の第４領域においては、複数の前記透過率が段階的に変化するように設定されており、
前記判断用領域（１００５）は前記複数の第５領域であり、
前記島状部における前記基準長は、当該島状部の径の長さであり、
前記大きさ判断部においては、複数の前記基準長が、前記段階的に変化する複数の前記透過率に対応して段階的に変化するように規定されていることを特徴とする請求項１に記載の検査用シート。
【請求項９】
前記複数の領域は、複数の第４領域（１１０６）と、複数の第５領域（１１０７）と、を有して構成され、
前記複数の第５領域のそれぞれは、対向する直線状の二辺を有して形成されており、且つ、前記複数の第４領域のそれぞれに配置され、
前記複数の第４領域のそれぞれにおいて、当該第４領域に配置された前記第５領域は、当該第４領域に対して透過率が異なり、
前記複数の第４領域においては、複数の前記透過率が段階的に変化するように設定されており、
前記判断用領域（１１０５）は前記複数の第５領域であり、
前記複数の第５領域のそれぞれは、前記二辺、又は、前記二辺の延長線が交わるように形成され、且つ、前記二辺の外側において前記第４領域と隣接しており、
前記第５領域における前記基準長は、当該第５領域の所定位置における前記二辺の間の長さであり、
前記大きさ判断部においては、複数の前記基準長が、前記段階的に変化する複数の前記透過率に対応して段階的に変化するように規定されていることを特徴とする請求項１に記載の検査用シート。
【請求項１０】
前記判断用領域は無着色領域であることを特徴とする請求項７乃至９のいずれか１項に記載の検査用シート。
【発明の詳細な説明】
【技術分野】
【０００１】
本発明は、空気調和機の表面汚染部を目視にて検査するため、空気調和機の表面に重ねて用いる検査用シートに関する。
【背景技術】
【０００２】
従来の汚染度評価方法の一例が特許文献１に開示されている。特許文献１に開示された床材表面の汚染度評価方法においては、同一又は異なる所定の透過率を備えた１又は２以上の透明板を、汚れのない床材表面上に重ねてゆき、この透明板を透かして見る汚れのない床材表面の外観と、汚れを評価すべき床材表面の外観とを目視にて比較する。透明板は複数のエリアを備え、この複数のエリアは透過率がそれぞれ異なるように形成されている。そして、この技術により、種々の透過率の透明板を用いて基準となる標準試験片を作成することにより、床材の汚染度を、高価であり且つ持ち運びに適さない検査機器を使用することなく、目視により簡便容易に且つ客観的に評価・判定することができる。
【０００３】
【特許文献１】特開２００３−３２９５９５号公報
【発明の開示】
【発明が解決しようとする課題】
【０００４】
近年、空気調和機において、筐体の品質、特に表面清浄度に対する要求が高まっており、筐体の表面については、汚染度のより正確な評価が必要となってきている。
【０００５】
本発明における発明者らは、空気調和機の筐体における表面の汚染度の評価に関連して、表面汚染部の明度と、表面汚染部の大きさとの関係に着目して試験を行なった。その結果、発明者らは、表面汚染部の明度が低くなるほど（表面汚染部の色が濃くなるほど）、表面汚染部が小さくても外観上目立ち、表面汚染部の明度が高くなるほど、表面汚染部が大きくても外観上目立たないということを知見している。
【０００６】
しかし、上記の特許文献１の技術においては、汚染部分の明度（濃さ）のみから汚染度を評価している。そして、特許文献１の技術を用いて、明度のみから汚染度を評価した場合には、外観検査において空気調和機の筐体表面の汚染度を過剰に高く（厳しく）評価してしまうことになる。例えば、筐体における表面汚染部の明度が低くても、その表面汚染部が小さい場合には、汚れとしては目立たないため、その筐体を良品としてもよい場合があるが、従来の技術では、筐体における表面汚染度の明度が低い場合には、その表面汚染部の大きさに係わらず、その筐体は目視検査において不良品となってしまう。しかし、表面汚染部の明度と大きさとの関係に着目した場合には、表面汚染部の明度が低くても、その表面汚染部が小さい場合には、汚染度としては低く評価しても構わないことになり、より効率的で無駄のない外観検査が可能となる。
【０００７】
そこで、この発明は、上記のような課題を解決するためになされたものであり、効率的で無駄のない表面汚染度の評価が可能な検査用シートを提供することを目的とする。
【課題を解決するための手段】
【０００８】
第１の発明にかかる検査用シートは、空気調和機の筐体における表面汚染部を目視にて検査するため、前記筐体の表面に重ねて用いる検査用シートであって、一枚又は複数枚の透明シートを有し、前記透明シートは、複数の透過率を有する複数の領域を備えており、前記複数の領域は、それぞれが一つの透過率を有しており、前記複数の領域は、前記表面汚染部の明度を判断するための明度判断部と、前記表面汚染部の大きさを判断するための大きさ判断部と、を形成するように配置されており、前記大きさ判断部においては、前記表面汚染部の大きさと比較するための基準長が、前記複数の領域のうち少なくとも一つの領域を含む判断用領域と、前記複数の領域のうち前記判断用領域に隣接する少なくとも一つの領域と、の境界線上における２点の間の距離として規定されている。
【０００９】
この検査用シートでは、表面汚染部の明度を判断するための明度判断部と、表面汚染部の大きさを判断するための大きさ判断部とが形成されているので、表面汚染部の明度と大きさとの関係に着目して、両方の評価を行なうことができる。そのため、低明度で且つ小さい表面汚染部が検査において不良とならないため、空気調和機の筐体表面の汚染度が過剰に高く評価されることがない。また、大きさ判断部においては、表面汚染部の大きさと比較するための基準長が、判断用領域と隣接領域との境界線上における２点の間の距離として規定されているので、検査用シートを空気調和機表面に重ねて、表面汚染部が判断用領域の範囲にあるかどうかを目視にて確認することにより、表面汚染部の大きさが基準外かどうかを簡易に確認できる。以上により、空気調和機における効率的で無駄のない表面汚染度の評価が可能となる。
【００１０】
第２の発明にかかる検査用シートは、第１の発明にかかる検査用シートにおいて、前記複数の領域においては、複数の前記透過率が段階的に変化するように設定されており、前記大きさ判断部においては、複数の前記基準長が、前記段階的に変化する複数の前記透過率に対応して段階的に変化するように規定されている。
【００１１】
この検査用シートでは、検査用シートの複数の透過率が段階的に設定されているので、表面汚染部の明度を、容易且つ詳細に判断できる。また、基準長が、段階的に変化する複数の透過率に対応して段階的に規定されているので、透過率に対応させて表面汚染部の大きさを容易且つ詳細に判断できる。これにより、より良い精度で、空気調和機における良品・不良品の判断をすることができる。そのため、より効率的で無駄のない表面汚染度の評価が可能となる。
【００１２】
第３の発明にかかる検査用シートは、第１又は第２の発明にかかる検査用シートにおいて、前記複数の領域は、第１領域と、前記第１領域に対して透過率が異なる第２領域と、を有して構成され、前記第２領域は、前記第１領域中に配置された単数または複数の帯状部として形成されており、前記判断用領域は前記第２領域であり、前記帯状部における前記基準長は、当該帯状部の幅の長さである。
【００１３】
この検査用シートでは、簡易な構成により、効率的で無駄のない表面汚染度の評価が可能となる。
【００１４】
第４の発明にかかる検査用シートは、第１又は第２の発明にかかる検査用シートにおいて、前記複数の領域は、第１領域と、前記第１領域に対して透過率が異なる第２領域と、を有して構成され、前記第２領域は、前記第１領域中に配置された単数または複数の島状部として形成されており、前記判断用領域は前記第２領域であり、前記島状部における前記基準長は、当該島状部の径の長さである。
【００１５】
この検査用シートでは、簡易な構成により、効率的で無駄のない表面汚染度の評価が可能となる。
【００１６】
第５の発明にかかる検査用シートは、第１又は第２の発明にかかる検査用シートにおいて、前記複数の領域は、第１領域と、前記第１領域に対して透過率が異なる第２領域と、を有して構成され、前記第２領域は、対向する直線状の二辺を有して形成された単数または複数の第３領域を含み、前記第２領域における一つの前記第３領域は、前記二辺、又は、前記二辺の延長線が交わるように形成され、且つ、前記二辺の内側において前記第１領域と隣接しており、前記判断用領域は前記第２領域であり、前記第３領域における前記基準長は、当該第３領域の所定位置における前記二辺の間の長さである。
【００１７】
この検査用シートでは、簡易な構成により、効率的で無駄のない表面汚染度の評価が可能となる。また、判断用領域の形状を変更せずに、基準長の長さを柔軟に変更することができる。
【００１８】
第６の発明にかかる検査用シートは、第１乃至第５の発明のいずれかにかかる検査用シートにおいて、前記判断用領域には、少なくとも一つの無着色領域が隣接し、前記判断用領域は、前記無着色領域よりも透過率が低い着色領域である。
【００１９】
この検査用シートでは、判断用領域の色が濃く、その周囲が無着色領域であるために、判断用領域からはみ出した表面汚染部を容易且つ確実に確認できる。
【００２０】
第７の発明にかかる検査用シートは、第１の発明にかかる検査用シートにおいて、前記複数の領域は、一対の領域からなる領域対を複数有しており、複数の前記領域対のそれぞれにおいて、前記一対の領域の前記透過率は同一であり、複数の前記領域対においては、複数の前記透過率が段階的に変化するように設定されており、複数の前記領域対のそれぞれにおいて、前記判断用領域は、前記一対の領域の間に挟まれつつ前記一対の領域に隣接し、且つ、前記判断用領域における前記透過率は、当該領域対における前記透過率とは異なり、前記大きさ判断部においては、複数の前記基準長が、前記段階的に変化する複数の前記透過率に対応して段階的に変化するように規定されている。
【００２１】
この検査用シートでは、検査用シートの複数の透過率が段階的に設定されているので、表面汚染部の明度を、容易且つ詳細に判断できる。また、基準長が、段階的に変化する複数の透過率に対応して段階的に規定されているので、透過率に対応させて表面汚染部の大きさを容易且つ詳細に判断できる。これにより、より良い精度で、空気調和機における良品・不良品の判断をすることができる。そのため、より効率的で無駄のない表面汚染度の評価が可能となる。
【００２２】
第８の発明にかかる検査用シートは、第１の発明にかかる検査用シートにおいて、前記複数の領域は、複数の第４領域と、複数の第５領域と、を有して構成され、前記複数の第５領域のそれぞれは、前記複数の第４領域のそれぞれにおいて島状部として配置され、前記複数の第４領域のそれぞれにおいて、当該第４領域に配置された前記第５領域は、当該第４領域に対して透過率が異なり、前記複数の第４領域においては、複数の前記透過率が段階的に変化するように設定されており、前記判断用領域は前記複数の第５領域であり、前記島状部における前記基準長は、当該島状部の径の長さであり、前記大きさ判断部においては、複数の前記基準長が、前記段階的に変化する複数の前記透過率に対応して段階的に変化するように規定されている。
【００２３】
この検査用シートでは、検査用シートの複数の透過率が段階的に設定されているので、表面汚染部の明度を、容易且つ詳細に判断できる。また、基準長が、段階的に変化する複数の透過率に対応して段階的に規定されているので、透過率に対応させて表面汚染部の大きさを容易且つ詳細に判断できる。これにより、より良い精度で、空気調和機における良品・不良品の判断をすることができる。そのため、より効率的で無駄のない表面汚染度の評価が可能となる。また、検査シートの構成が簡易なものとなる。
【００２４】
第９の発明にかかる検査用シートは、第１の発明にかかる検査用シートにおいて、前記複数の領域は、複数の第４領域と、複数の第５領域と、を有して構成され、前記複数の第５領域のそれぞれは、対向する直線状の二辺を有して形成されており、且つ、前記複数の第４領域のそれぞれに配置され、前記複数の第４領域のそれぞれにおいて、当該第４領域に配置された前記第５領域は、当該第４領域に対して透過率が異なり、前記複数の第４領域においては、複数の前記透過率が段階的に変化するように設定されており、前記判断用領域は前記複数の第５領域であり、前記複数の第５領域のそれぞれは、前記二辺、又は、前記二辺の延長線が交わるように形成され、且つ、前記二辺の外側において前記第４領域と隣接しており、前記第５領域における前記基準長は、当該第５領域の所定位置における前記二辺の間の長さであり、前記大きさ判断部においては、複数の前記基準長が、前記段階的に変化する複数の前記透過率に対応して段階的に変化するように規定されている。
【００２５】
この検査用シートでは、検査用シートの複数の透過率が段階的に設定されているので、表面汚染部の明度を、容易且つ詳細に判断できる。また、基準長が、段階的に変化する複数の透過率に対応して段階的に規定されているので、透過率に対応させて表面汚染部の大きさを容易且つ詳細に判断できる。これにより、より良い精度で、空気調和機における良品・不良品の判断をすることができる。そのため、より効率的で無駄のない表面汚染度の評価が可能となる。また、検査シートの構成が簡易なものとなる。また、判断用領域の形状を変更せずに、基準長の長さを柔軟に変更することができる。
【００２６】
第１０の発明にかかる検査用シートは、第７乃至第９の発明のいずれかにかかる検査用シートにおいて、前記判断用領域は無着色領域である。
【００２７】
この検査用シートでは、判断用領域が無着色領域であり、その周囲が着色領域となるために、判断用領域からはみ出してしまう表面汚染部を容易且つ確実に確認できる。
【発明の効果】
【００２８】
以上の説明に述べたように、本発明によれば、以下の効果が得られる。
【００２９】
第１の発明では、表面汚染部の明度を判断するための明度判断部と、表面汚染部の大きさを判断するための大きさ判断部とが形成されているので、表面汚染部の明度と大きさとの関係に着目して、両方の評価を行なうことができる。そのため、低明度で且つ小さい表面汚染部が検査において不良とならないため、空気調和機の筐体表面の汚染度が過剰に高く評価されることがない。また、大きさ判断部においては、表面汚染部の大きさと比較するための基準長が、判断用領域と隣接領域との境界線上における２点の間の距離として規定されているので、検査用シートを空気調和機表面に重ねて、表面汚染部が判断用領域の範囲にあるかどうかを目視にて確認することにより、表面汚染部の大きさが基準外かどうかを簡易に確認できる。以上により、空気調和機における効率的で無駄のない表面汚染度の評価が可能となる。
【００３０】
また、第２の発明では、検査用シートの複数の透過率が段階的に設定されているので、表面汚染部の明度を、容易且つ詳細に判断できる。また、基準長が、段階的に変化する複数の透過率に対応して段階的に規定されているので、透過率に対応させて表面汚染部の大きさを容易且つ詳細に判断できる。これにより、より良い精度で、空気調和機における良品・不良品の判断をすることができる。そのため、より効率的で無駄のない表面汚染度の評価が可能となる。
【００３１】
また、第３の発明では、簡易な構成により、効率的で無駄のない表面汚染度の評価が可能となる。
【００３２】
また、第４の発明では、簡易な構成により、効率的で無駄のない表面汚染度の評価が可能となる。
【００３３】
また、第５の発明では、簡易な構成により、効率的で無駄のない表面汚染度の評価が可能となる。また、判断用領域の形状を変更せずに、基準長の長さを柔軟に変更することができる。
【００３４】
また、第６の発明では、判断用領域の色が濃く、その周囲が無着色領域であるために、判断用領域からはみ出した表面汚染部を容易且つ確実に確認できる。
【００３５】
また、第７の発明では、検査用シートの複数の透過率が段階的に設定されているので、表面汚染部の明度を、容易且つ詳細に判断できる。また、基準長が、段階的に変化する複数の透過率に対応して段階的に規定されているので、透過率に対応させて表面汚染部の大きさを容易且つ詳細に判断できる。これにより、より良い精度で、空気調和機における良品・不良品の判断をすることができる。そのため、より効率的で無駄のない表面汚染度の評価が可能となる。
【００３６】
また、第８の発明では、検査用シートの複数の透過率が段階的に設定されているので、表面汚染部の明度を、容易且つ詳細に判断できる。また、基準長が、段階的に変化する複数の透過率に対応して段階的に規定されているので、透過率に対応させて表面汚染部の大きさを容易且つ詳細に判断できる。これにより、より良い精度で、空気調和機における良品・不良品の判断をすることができる。そのため、より効率的で無駄のない表面汚染度の評価が可能となる。また、検査シートの構成が簡易なものとなる。
【００３７】
また、第９の発明では、検査用シートの複数の透過率が段階的に設定されているので、表面汚染部の明度を、容易且つ詳細に判断できる。また、基準長が、段階的に変化する複数の透過率に対応して段階的に規定されているので、透過率に対応させて表面汚染部の大きさを容易且つ詳細に判断できる。これにより、より良い精度で、空気調和機における良品・不良品の判断をすることができる。そのため、より効率的で無駄のない表面汚染度の評価が可能となる。また、検査シートの構成が簡易なものとなる。また、判断用領域の形状を変更せずに、基準長の長さを柔軟に変更することができる。
【００３８】
また、第１０の発明では、判断用領域が無着色領域であり、その周囲が着色領域となるために、判断用領域からはみ出してしまう表面汚染部を容易且つ確実に確認できる。
【発明を実施するための最良の形態】
【００３９】
以下、図面を参照しつつ本発明の好適な実施形態について説明する。ここでは、本発明にかかる検査用シートが、空気調和機の室内機の筐体表面の汚染度評価に用いられる一実施形態について説明する。図１は、本発明の第１実施形態に係る検査用シートの検査対象となる空気調和機を示す概略図である。図２は、本発明の第１実施形態に係る検査用シートの使用状態を示す概略図である。図３は、本発明の第１実施形態に係る検査用シートのうち、作成用シートの概略図である。図４は、本発明の第１実施形態に係る検査用シートのうち、図１に示す判断用シートの概略図である。図５は、図４の判断用シートを用いた表面汚染部の目視検査における検査手順を示すフローチャートである。図６は、図４の判断用シートを用いた表面汚染部の目視検査の一実施状態示す概略図である。図７は、図４の判断用シートを用いた表面汚染部の目視検査の一実施状態示す概略図である。図８は、図４の判断用シートを用いた表面汚染部の目視検査の一実施状態示す概略図である。
【００４０】
本実施形態に係る検査用シート１は、図２に示すように、空気調和機の室内機（空気調和機）１０の筐体１０ｂにおける表面汚染部を目視にて検査するため、筐体１０ｂの表面１０ｓに重ねて用いるものである。本実施形態において検査対象となる空気調和機の室内機１０は図１に示すようなものであり、冷媒配管１０ｐを介して室外機１５に接続されている。
【００４１】
また、検査用シート１は、二枚の透明シート１ｔ，１ｔを有して構成されている（図３、図４参照）。透明シート１ｔ，１ｔとしては、例えば、ガラス、セロファン等の他、ビニル、アクリル、ポリプロピレン、ポリスチレン、ポリカーボネート、ポリエチレンテレフタレート等の合成樹脂製のものを使用することができる。また、これらの異種材料同士を複数枚積層して透明シートを構成してもよい。
【００４２】
そして、二枚の透明シート１ｔ，１ｔは、それぞれ、作成用シート１ｐ、判断用シート１ｃとなっている（図２には、判断用シート１ｃのみ示している）。すなわち、検査用シート１は、作成用シート１ｐ及び判断用シート１ｃを有して構成されている。以下、それぞれのシートの詳細について説明する。なお、検査用シートは、一枚又は複数枚の透明シートを有して構成されていればよく、一枚であってもよいし、三枚以上から構成されていてもよい。
【００４３】
（作成用シート）
作成用シート１ｐは、空気調和機の室内機１０の筐体１０ｂにおける表面汚染部を目視にて検査するため、筐体１０ｂの表面１０ｓに重ねて用いるものであり、１枚の透明シート１ｔを有して構成されている。そして、透明シート１ｔは、その表面に、複数の透過率を有する複数の領域Ａ〜Ｈを有している。作成用シート１ｐは、親シートとして位置づけられるものであり、作成用シート１ｐでの予備試験に基づき、子シートとして位置づけられる判断用シート１ｃ（後述）を作成するためのものである。
【００４４】
具体的には、複数の領域Ａ〜Ｈのそれぞれにおいては、透過率が段階的に変化するように（図における左右方向に変化するように）なっている。作成用シート１ｐは、空気調和機の室内機１０の筐体１０ｂに重ねて予備試験を行なうためのものである。そして、その予備試験の結果に基づき、筐体１０ｂの表面１０ｓの表面状態、照明等の検査条件、不良と判断する基準明度等を考慮した上で、適切な透過率を選択する。そして、その選択した透過率に基づいて判断用シートを作成することになる。
【００４５】
なお、本実施形態においては、作成用シート１ｐを、透過率が段階的に変化する複数の領域Ａ〜Ｈを有するものとしているが、作成用シートはこのようなものには限られない。また、本実施形態においては、検査用シート１が、作成用シート１ｐ及び判断用シート１ｃを有して構成されているが、作成用シート１ｐはなくてもよい。また、作成用シート１ｐと判断用シート１ｃとは、一枚のシートであってもよい。また、本実施形態では、作成用シート１ｐに基づいて、一枚の判断用シート１ｃを作成するが、このような形態には限られず、作成用シート１ｐに基づいて、複数枚の判断用シートを作成してもよい。また、作成用シートの枚数は一枚には限られず、複数枚であってもよい。
【００４６】
（判断用シート）
判断用シート１ｃは、上記の作成用シート１ｐを用いた予備試験の結果に基づいて作成されるものであり、上記のように子シートとして位置づけられる。判断用シート１ｃは、空気調和機の室内機１０の筐体１０ｂにおける表面汚染部を目視にて検査するため、筐体１０ｂの表面１０ｓに重ねて用いるものであり、１枚の透明シート１ｔを有して構成されている。
【００４７】
また、透明シート１ｔは、その表面に、複数の透過率を有する複数（七つ）の領域２ａ〜２ｇを有する。具体的に説明すると、判断用シート１ｃは、領域２ａ及び２ｃにおける透過率Ｔ１と、領域２ｅ及び２ｇにおける透過率Ｔ２と、領域２ｂ，２ｄ及び２ｆにおける透過率Ｔ３との三種類の透過率を有している。また、複数の領域２ａ〜２ｇは、それぞれが一つの透過率を有している。また、判断用シート１ｃにおいては、複数の領域２ａ〜２ｇにおける複数の透過率は、段階的に変化するように設定されている。すなわち、複数の透過率Ｔ１，Ｔ２は、Ｔ１＞Ｔ２の関係を満たしつつ、段階的に変化するように設定されている。
【００４８】
また、本実施形態では、透明シート１ｔの表面に、複数の領域２ａ〜２ｇが印刷されているものとする。印刷については、例えば、パーソナルコンピュータを用いて作成した複数領域の画像を、パーソナルコンピュータ用のプリンタ等を用いて印刷する等が考えられる。また、透明シートに複数の領域を形成する方法としては、透明シートの表面に複数の領域を印刷する方法の他、シートと複数の領域とを一体形成するという方法が用いられてもよい。また、領域ごとに、既存の着色された透明シートを複数枚重ねることで、所定の透過率となるようにしてもよい。
【００４９】
本実施形態においては、複数の領域２ａ〜２ｇは、三つの透過率を有し、複数の領域２ａ〜２ｇの中には、同じ透過率を有する複数の領域（例えば、領域２ａ及び２ｃ）が含まれているが、複数の領域が全体として複数の透過率を有していればよく、例えば、複数の領域の全てにおいて、それぞれの領域が異なる透過率を有していてもよい。また、本実施形態では、複数の領域２ａ〜２ｇが三つの透過率を有しているが、複数の領域が複数の透過率を有していれば良く、複数の領域が二つの透過率を有していても良く（後述する第３乃至８実施形態参照）、また、複数の領域が三つ以上の透過率を有していてもよい（後述する第２実施形態参照）。
【００５０】
また、複数の領域２ａ〜２ｇは、透明シート１ｔにおいて、表面汚染部の明度を判断するための明度判断部３と、表面汚染部の大きさを判断するための大きさ判断部４と、を形成するように配置されている。以下、それぞれについて説明する。
【００５１】
（明度判断部）
明度判断部３は、領域２ａ及び領域２ｇであり、それぞれの透過率は、上記のようにＴ１及びＴ２となっている。また、領域２ａ及び領域２ｇの大きさは広めに設定されており、この部分を空気調和機の室内機１０の、筐体１０ｂの表面１０ｓに重ねて表面汚染部の明度を確認することになる。
【００５２】
表面汚染部の明度判断部３の領域２ａ，２ｇは、それぞれ、透過率Ｔ１，Ｔ２に関連する基準明度を有している。この基準明度は、筐体１０ｂの表面状態（色、材質等）及び照明条件等によって定まる。そして、検査対象となる表面汚染部の明度がその基準明度よりも低ければ、その表面汚染部は、判断用シート１ｃの明度判断部３を透過する。一方、検査対象となる表面汚染部の明度がその基準明度よりも高ければ、その表面汚染部は、明度判断部３を透過することはない。ここで、表面汚染部がある領域を“透過する”とは、判断用シート１ｃをその表面汚染部に重ねたときに、判断用シート１ｃのその領域を通して、表面汚染部が目視にて確認されることをいう。そして、表面汚染部が目視で確認されるというのは、明度判断部３の基準明度に比べて、その表面汚染部の明度が低いということを意味し、表面汚染部の色が濃いということになる。一方、表面汚染部が目視で確認できないということは、明度判断部３の基準明度に比べて、その表面汚染部の明度が高いということを意味し、表面汚染部の色が薄いということになる。なお、本実施形態では、明度判断部３が二つの領域２ａ、２ｇを有して構成されているが、明度判断部の領域は一つのみであってもよいし、三つ以上であってもよい。
【００５３】
（大きさ判断部）
大きさ判断部４は、判断用領域５と、それに隣接する領域とを有して構成され、具体的には、判断用領域５は、複数の領域２ａ〜２ｇのうち二つの領域２ｃ及び２ｅである（二つの領域２ｃ及び２ｅのそれぞれが、判断用領域５に該当する）。また、判断用領域５に隣接する領域は、複数の領域２ａ〜２ｇのうち領域２ｂ，２ｄ及び２ｆである。ここで、判断用領域５の二つの領域２ｃ及び２ｅの透過率はＴ１及びＴ２であり、これは、明度判断部３の二つの領域２ａ及び２ｇにおける透過率Ｔ１及びＴ２にそれぞれ対応したものとなっている。
【００５４】
また、大きさ判断部４においては、表面汚染部の大きさと比較するための基準長Ｌ１，Ｌ２が、それぞれに関して、判断用領域５と、判断用領域５に隣接する領域と、の境界線上における２点の間の距離として規定されている。具体的には、判断用領域５としての領域２ｃに関しては、領域２ｃと、それに隣接する領域２ｂ及び領域２ｄと、の境界線上における２点間の距離として、基準長Ｌ１が規定されている。また、判断用領域５としての領域２ｅに関しては、領域２ｅと、それに隣接する領域２ｄ及び領域２ｆと、の境界線上における２点間の距離として、基準長Ｌ２が規定されている。
【００５５】
また、大きさ判断部４においては、二つの基準長Ｌ１，Ｌ２が、段階的に変化する二つの透過率Ｔ１，Ｔ２に対応して段階的に変化するように規定されている。具体的には、上記のように透過率Ｔ１，Ｔ２の間には、Ｔ１＞Ｔ２の関係が成立しており、その関係に対応して、領域２ｃ（透過率Ｔ１）及び領域２ｅ（透過率Ｔ２）における基準長Ｌ１，Ｌ２の間にもＬ１＞Ｌ２の関係が成立している（図４参照）。このように、基準長が複数種類ある場合には、対応する透過率が低くなるほど基準長の長さを短く設定し、対応する透過率が高くなるほど基準長の長さを長く設定するのが望ましい。これは、表面汚染部の明度が低くなるほど、表面汚染部が小さくても外観上目立ち、表面汚染部の明度が高くなるほど、表面汚染部が大きくても外観上目立たないという発明者らの知見によるものある。
【００５６】
なお、上記のように、判断用シート１ｃにおける複数の透過率はＴ１，Ｔ２，Ｔ３の三種類であるが、基準長の長さの設定にはＴ３は関係しない。具体的に説明すると、本実施形態において、基準長の設定に関係するのは、判断用領域５の透過率（Ｔ１，Ｔ２）であり、判断用領域でない領域２ｂ，２ｄ，２ｆの透過率Ｔ３は基準長の設定には関係しない。なお、判断用領域以外の領域に関係する別の基準長が設定されても良い。
【００５７】
複数の領域２ａ〜２ｇは、第１領域６と、第１領域６に対して透過率が異なる第２領域７と、を有して構成されている。より詳細には、第１領域６は、領域２ｂ，２ｄ，２ｆを含んで構成され、第２領域７は、領域２ｃ及び２ｅを含んで構成されている。
【００５８】
第２領域７は、第１領域６中に配置された二つの帯状部として形成されている。本実施形態においては、第２領域７は二つの領域２ｃ及び２ｅを含み、領域２ｃ及び２ｅのそれぞれが、第１領域６中に帯状部として配置されている（図４参照）。そして、本実施形態においては、判断用領域５が第２領域７であり、帯状部における基準長は、当該帯状部の幅の長さである。具体的には、二つの帯状部における基準長Ｌ１，Ｌ２は、それぞれの帯状部の幅の長さであり、さらに具体的に説明すると、基準長Ｌ１，Ｌ２は、帯状部として形成された第２領域７としての領域２ｃ，２ｅのそれぞれの幅の長さとなっている（図４参照）。なお、本実施形態においては、第２領域として２つの帯状部が形成されているが、このような形態には限られない。第２領域は第１領域中に配置された単数または複数の帯状部として形成されていればよく、例えば、帯状部は１つでもよいし（後述する第３、第４実施形態参照）、３つ以上であってもよい。
【００５９】
判断用領域５には、三つの無着色領域が隣接しており、判断用領域５は、無着色領域よりも透過率が低い着色領域である。具体的には、判断用領域５には、三つの領域２ｂ，２ｄ，２ｆが隣接しており、且つ、領域２ｂ，２ｄ，２ｆは、無着色領域である。すなわち、第１領域６は無着色領域となっている。また、判断用領域５としての領域２ｃ，２ｅは、無着色領域よりも透過率が低い着色領域となっている。
【００６０】
なお、本実施形態においては、二つの基準長Ｌ１，Ｌ２が、二つの透過率Ｔ１，Ｔ２に対応して段階的に変化するように規定されているが、二つの基準長が、二つの透過率に対応して段階的に変化するようなものには限られない。
【００６１】
なお、表面汚染部の大きさと比較するための基準長については、複数の領域のうち少なくとも一つの領域を含む判断用領域と、複数の領域のうち判断用領域に隣接する少なくとも一つの領域と、の境界線上における２点の間の距離として規定されていればよく、本実施形態のようなものには限られない（後述する他の実施形態参照）。また、本実施形態では、大きさ判断部４が、判断用領域５を有し、判断用領域が、二つの領域２ｃ及び２ｅを含んで構成されているが、このようなものには限られず、判断用領域は一つの領域であってもよいし（後述する第３乃至第８実施形態参照）、三つ以上の領域を含んでいてもよい（後述する第２実施形態参照）。また、判断用領域が、複数の塊部から構成される場合に、それぞれの塊部が、二つ以上の領域を含んでいてもよい（本実施形態においては、判断用領域５が、二つの塊部（帯状部）から構成され、それぞれの塊部が一つの領域を含んでいる）。すなわち、本実施形態に係る検査シートを使って説明すると、一つの帯状部に複数の領域が含まれていてもよい。また、本実施形態においては、判断用領域５に三つの領域２ｂ，２ｄ，２ｆが隣接しているが、判断用領域に、複数の領域のうち少なくとも一つの領域が隣接していればよく、例えば、判断用領域には一つの領域のみ隣接していてもよいし（後述する第５、第６、第７実施形態参照）、二つの領域や（後述する第２、第３実施形態参照）、四つ以上の領域が隣接していてもよい。
【００６２】
また、本実施形態では、判断用領域５には、三つの無着色領域が隣接しているが、判断用領域には少なくとも一つの無着色領域が隣接していればよく、例えば、一つの無着色領域が隣接していてもよく（後述する第５、第７実施形態参照）また、二つの無着色領域が隣接していてもよく（後述する第２、第３実施形態参照）、四つ以上の無着色領域が隣接していてもよい。また、本実施形態においては、判断用領域５が、無着色領域よりも透過率が低い着色領域であるが、このような形態には限られず、判断用領域が無着色領域であってもよい（後述する第４，第６，第８実施形態参照）。また、判断用領域が着色領域である場合に、判断用領域に無着色領域が隣接していなくても、判断用領域に、透過率が異なる少なくとも一つの着色領域が隣接していてもよい。
【００６３】
（検査手順）
次に、本実施形態にかかる検査用シート１を用いた検査手順について説明する。なお、検査用シート１の構成及び以下の検査手順は、本発明に係る発明者らの知見に基づくものである。より詳細には、発明者らは、筐体表面の表面汚染部については、（表面汚染部の明度の高低にかかわらず）“大きさに関する基準”を定めることが可能であることを知見している。この基準は、表面汚染部の大きさがその基準よりも小さい場合には、その筐体を良品としてもよいというものである。そして、発明者らは、この“大きさに関する基準”は、表面汚染部の明度が高いほど（表面汚染部が薄いほど）大きく、表面汚染部の明度が低いほど（表面汚染部が濃いほど）小さくなることを知見している。
【００６４】
まず、作成用シート１ｐを空気調和機の室内機１０の表面１０ｓに重ねて予備試験を行ない、その予備試験の結果に基づいて判断用シートを作成する。本実施形態においては、予備試験の結果を受けて、図４に示す判断用シート１ｃが作成されたものとする。
【００６５】
次に、作成された判断用シート１ｃを用いて、空気調和機の室内機１０の筐体１０ｂの表面１０ｓを目視にて検査する。ここでは、ある大きさ及び明度を有する表面汚染部が筐体１０ｂの表面１０ｓに見つかっているものとする。以下、判断用シート１ｃにより、空気調和機の室内機１０の筐体１０ｂについての不良品（良品）を判断する手順について、図５のフローチャートを用いて説明する。なお、以下に示す手順は、判断用シート１ｃを用いる検査手順の一例である。
【００６６】
まず、明度判断部３の領域２ｇにおいて表面汚染部の明度判断を行なう（ステップＳ１０１）。ここでは、表面汚染部が領域２ｇ（透過率Ｔ２）を透過するかどうかを調べる。表面汚染部が領域２ｇを透過している場合には(ステップＳ１０１：ＹＥＳ)、空気調和機の室内機１０の筐体１０ｂは不良品となる（ステップＳ１０２）。ここで、図６の例を用いて説明すると、この表面汚染部は、表面汚染部８ａのようなものである。表面汚染部８ａは、領域２ｇを透過しており、判断用シート１ｃを重ねても目視にて確認することができる。この場合には、筐体１０ｂは不良品となる。
【００６７】
一方、表面汚染部が領域２ｇを透過しない場合には（ステップＳ１０１：ＮＯ）、次に、明度判断部３の領域２ａにおいて表面汚染部の明度判断を行ない、表面汚染部が領域２ａ（透過率Ｔ１）を透過するかどうかを調べる（ステップＳ１０３）。ここで、表面汚染部が領域２ａを透過している場合には（ステップＳ１０３：ＹＥＳ）、次に、大きさ判断部４において、表面汚染部の大きさ判断を行なう（ステップＳ１０４）。ここで、表面汚染部の大きさが、基準長Ｌ２（大きさ判断部４の領域２ｅ（透過率Ｔ２）の幅の長さ）よりも大きければ（ステップＳ１０４：ＹＥＳ）、空気調和機の室内機１０の筐体１０ｂは不良品となる（ステップＳ１０２）。図７の例を用いて説明すると、この表面汚染部は、表面汚染部８ｃのようなものである（図７の矢印（Ｂ）参照）。表面汚染部８ｃは、領域２ｇは透過しないが、領域２ａは透過する。そして、表面汚染部８ｃの大きさは、大きさ判断部４の領域２ｅ（透過率Ｔ２）の幅の長さである基準長Ｌ２よりも大きいため、筐体１０ｂは不良品となる。
【００６８】
一方、表面汚染部の大きさが、基準長Ｌ２以下であれば（ステップＳ１０４：ＮＯ）、空気調和機の室内機１０の筐体１０ｂは良品となる（ステップＳ１０６）。図７の例を用いて説明すると、この表面汚染部は、表面汚染部８ｂのようなものである（図７の矢印（Ａ）参照）。表面汚染部８ｂは、領域２ｇは透過しないが、領域２ａは透過する。そして、表面汚染部８ｂの大きさは、大きさ判断部４の領域２ｅ（透過率Ｔ２）の幅の長さである基準長Ｌ２よりも小さいため、筐体１０ｂは良品となる。
【００６９】
また、領域２ａにおける表面汚染部の明度判断において、表面汚染部が領域２ａを透過しない場合には（ステップＳ１０３：ＮＯ）、次に、大きさ判断部４において、表面汚染部の大きさ判断を行なう（ステップＳ１０５）。ここで、表面汚染部の大きさが基準長Ｌ１（大きさ判断部４の領域２ａ（透過率Ｔ１）の幅の長さ）よりも大きければ（ステップＳ１０５：ＹＥＳ）、空気調和機の室内機１０の筐体１０ｂは不良品となる（ステップＳ１０２）。図８の例を用いて説明すると、この表面汚染部は、表面汚染部８ｅのようなものである（図８の矢印（Ｄ）参照）。表面汚染部８ｅは、領域２ｇを透過せず、且つ、領域２ａをも透過しない。そして、表面汚染部８ｅの大きさは、大きさ判断部４の領域２ｃ（透過率Ｔ１）の幅の長さである基準長Ｌ１よりも大きいため、筐体１０ｂは不良品となる。
【００７０】
一方、表面汚染部の大きさが、基準長Ｌ１以下であれば（ステップＳ１０５：ＮＯ）、空気調和機の室内機１０の筐体１０ｂは良品となる（ステップＳ１０６）。図８の例を用いて説明すると、この表面汚染部は、表面汚染部８ｄのようなものである（図８の矢印（Ｃ）参照）。表面汚染部８ｄは、領域２ｇを透過せず、且つ、領域２ａをも透過しない。そして、表面汚染部８ｄの大きさは、大きさ判断部４の領域２ｃ（透過率Ｔ１）の幅の長さである基準長Ｌ１よりも小さいため、筐体１０ｂは良品となる。
【００７１】
例えば、以上のようにして、表面汚染部の明度だけでなく、大きさにも着目した目視検査をすることができる。なお、この検査手順は一例であり、判断用シート１ｃによる検査手順は上記のようなものには限られず、別の使い方をしてもよい。また、上記の図６乃至８における表面汚染部８ａ〜８ｅは、三種類の明度Ｂ１，Ｂ２，Ｂ３を有しており、具体的には、表面汚染部８ａが明度Ｂ１、表面汚染部８ｂ及び表面汚染部８ｃが明度Ｂ２、表面汚染部８ｄ及び表面汚染部８ｅが明度Ｂ３を有しているものとする。また、Ｂ１，Ｂ２，Ｂ３の関係は、Ｂ１＜Ｂ２＜Ｂ３となっているものとする。
【００７２】
また、大きさ判断部４における表面汚染部の大きさの判断については、表面汚染部の最大長に沿った方向と、判断用領域５における基準長の方向（基準長を規定するための２点、すなわち、判断用領域５と隣接する領域との境界線上における２点間を結ぶ方向）とが一致するように判断用シート１ｃを回転させた上で判断する（最大長と基準長とを比較して判断する）ことになる。これは、後述する他の実施形態においても同様である。
【００７３】
また、検査用シート１による目視検査の対象となる表面汚染部の種類としては、（１）筐体の成型時に、樹脂の着色に用いられる顔料等及びその他の添加剤が、熱等の影響を受けて変色したもの（２）成型時に混入したゴミ等の異物（３）筐体塗装時に静電気等によって付着したゴミ（４）塗装部分におけるピンホール（塗装時、乾燥時に発生）（５）その他の人的エラーにより付着したゴミ等、が考えられる。検査用シート１は、これらの表面汚染部の発生原因が分かっている場合には、その原因に応じて使い分けてもよい。また、判断用シートは、その発生原因別に作成してもよい。また、これらの表面汚染部の発生原因が特定できていない場合には、その発生原因の究明のために検査用シート１を使用してもよい。
【００７４】
また、例えば、品質保証上の要求が高い場合には、検査用シートにおいて、明度判断部の透過率を高くし（基準明度を高くし）、且つ、大きさ判断部における基準長を短くする変更を行なえばよい。また、逆に要求が低い場合には、検査用シートにおいて、明度判断部の透過率を低くし、基準長を長くする変更を行なえばよい。
【００７５】
［本発明の特徴］
本実施形態にかかる検査用シート１には、以下のような特徴がある。
【００７６】
本実施形態の検査用シート１では、空気調和機の室内機（空気調和機）１０の筐体１０ｂにおける表面汚染部を目視にて検査するため、筐体１０ｂの表面に重ねて用いる検査用シート１であって、二枚の透明シート１ｔ，１ｔを有し、透明シート１ｔ，１ｔは、三つの透過率Ｔ１，Ｔ２，Ｔ３を有する複数の領域２ａ〜２ｇを備えており、複数の領域２ａ〜２ｇは、それぞれが一つの透過率を有しており、複数の領域２ａ〜２ｇは、表面汚染部の明度を判断するための明度判断部３と、表面汚染部の大きさを判断するための大きさ判断部４と、を形成するように配置されており、大きさ判断部４においては、表面汚染部の大きさと比較するための基準長Ｌ１，Ｌ２が、複数の領域２ａ〜２ｇのうち少なくとも一つの領域（領域２ｃ，２ｅ）を含む判断用領域５と、複数の領域２ａ〜２ｇのうち判断用領域５に隣接する少なくとも一つの領域（領域２ｂ，２ｄ及び２ｆ）と、の境界線上における２点の間の距離として規定されている。このように構成された検査用シート１では、表面汚染部の明度を判断するための明度判断部３と、表面汚染部の大きさを判断するための大きさ判断部４とが形成されているので、表面汚染部の明度と大きさとの関係に着目して、両方の評価を行なうことができる。そのため、低明度で且つ小さい表面汚染部が検査において不良とならないため、空気調和機の室内機１０の筐体１０ｂの表面の汚染度が過剰に高く評価されることがない。また、大きさ判断部４においては、表面汚染部の大きさと比較するための基準長Ｌ１，Ｌ２が、判断用領域５と隣接領域との境界線上における２点の間の距離として規定されているので、検査用シート１を空気調和機の室内機１０表面に重ねて、表面汚染部が判断用領域５の範囲にあるかどうかを目視にて確認することにより、表面汚染部の大きさが基準外かどうかを簡易に確認できる。以上により、空気調和機における効率的で無駄のない表面汚染度の評価が可能となる。
【００７７】
また、検査用シート１では、複数の領域２ａ〜２ｇにおいては、複数の透過率Ｔ１，Ｔ２が段階的に変化するように設定されており、大きさ判断部４においては、複数の基準長Ｌ１，Ｌ２が、段階的に変化する複数の透過率Ｔ１，Ｔ２に対応して段階的に変化するように規定されている。そのため、検査用シート１の複数の透過率Ｔ１，Ｔ２が段階的に設定されているので、表面汚染部の明度を、容易且つ詳細に判断できる。また、基準長Ｌ１，Ｌ２が段階的に変化する複数の透過率Ｔ１，Ｔ２に対応して段階的に規定されているので、透過率に対応させて表面汚染部の大きさを容易且つ詳細に判断できる。これにより、より良い精度で、空気調和機における良品・不良品の判断をすることができる。そのため、より効率的で無駄のない表面汚染度の評価が可能となる。
【００７８】
また、検査用シート１では、複数の領域２ａ〜２ｇは、第１領域６と、第１領域６に対して透過率が異なる第２領域７と、を有して構成され、第２領域７は、第１領域６中に配置された二つの帯状部として形成されており、判断用領域５は第２領域７であり、帯状部における基準長Ｌ１，Ｌ２は、帯状部の幅の長さである。そのため、簡易な構成により、効率的で無駄のない表面汚染度の評価が可能となる。
【００７９】
また、この検査用シート１では、判断用領域５には、三つの無着色領域が隣接し、判断用領域５は、無着色領域よりも透過率が低い着色領域である。そのため、判断用領域５の色が濃く、その周囲が無着色領域であるために、判断用領域５からはみ出した表面汚染部を容易且つ確実に確認できる。
【００８０】
（第２実施形態）
次に、本発明にかかる検査用シートの第２実施形態について、上記の実施形態と異なる部分を中心に説明する。なお、上記の実施形態と同様の部分についてはその説明を省略する。図９は、本発明の第２実施形態に係る検査用シートを示す概略図である。
【００８１】
本実施形態にかかる検査用シート１０１の判断用シート１０１ｃは、領域１０２ａ〜１０２ｑの十七の領域を有して構成されている。そして、複数の領域１０２ａ〜１０２ｑは、六つの透過率Ｔ１０１〜Ｔ１０６を有している。より詳細には、複数の領域１０２ａ〜１０２ｑのうち、領域１０２ａ、１０２ｇ、１０２ｍの透過率はＴ１０１と、領域１０２ｂ、１０２ｈ、１０２ｎの透過率はＴ１０２と、領域１０２ｃ、１０２ｉ、１０２ｏの透過率はＴ１０３と、領域１０２ｄ、１０２ｊ、１０２ｑの透過率はＴ１０４と、領域１０２ｅ、１０２ｋ、１０２ｑの透過率はＴ１０５と、領域１０２ｆ，１０２ｌの透過率はＴ１０６となっている。
【００８２】
そして、複数の領域１０２ａ〜１０２ｑにおいては、複数の透過率が段階的に変化するように設定されている。すなわち、六つの透過率Ｔ１０１〜Ｔ１０６のうち、五つの透過率Ｔ１０１〜Ｔ１０５は、Ｔ１０１＞Ｔ１０２＞Ｔ１０３＞Ｔ１０４＞Ｔ１０５の関係を満たしており、段階的に変化するように設定されている。
【００８３】
また、明度判断部１０３は、領域１０２ａ〜１０２ｅ、１０２ｍ〜１０２ｑを有して構成され、大きさ判断部１０４は、領域１０２ｆ〜１０２ｌを有して構成されている。
【００８４】
また、判断用領域１０５は、五つの領域１０２ｇ〜１０２ｋである。また、判断用領域１０５には、二つの無着色領域１０２ｆ，１０２ｌが隣接している。また、判断用領域１０５が第２領域１０７となっている。そして、第１領域１０６は無着色領域であり、判断用領域１０５（第２領域１０７）は着色領域である。また、第２領域１０７は、第１領域１０６に対して透過率が異なる。
【００８５】
そして、大きさ判断部１０４における五つの基準長Ｌ１０１〜Ｌ１０５は、判断用領域１０５における領域１０２ｇ〜１０２ｋのそれぞれと、隣接する領域１０２ｆ、１０２ｌとの境界線上における２点間の距離として、それぞれ規定されている。そして、五つの基準長Ｌ１０１〜Ｌ１０５は、段階的に変化する五つの透過率Ｔ１０１〜Ｔ１０５に対応して、段階的に変化するように規定されている。具体的には、段階的に変化する五つの透過率Ｔ１０１〜Ｔ１０５の、Ｔ１０１＞Ｔ１０２＞Ｔ１０３＞Ｔ１０４＞Ｔ１０５の関係に対応して、五つの基準長Ｌ１０１〜Ｌ１０５は、段階的に変化するように規定されており、五つの基準長Ｌ１０１〜Ｌ１０５については、Ｌ１０１＞Ｌ１０２＞Ｌ１０３＞Ｌ１０４＞Ｌ１０５の関係が成立している。
【００８６】
上記のように、本実施形態にかかる検査用シート１０１では、複数の領域１０２ａ〜１０２ｑにおいては、複数の透過率Ｔ１０１〜Ｔ１０５が段階的に変化するように設定されており、大きさ判断部１０４においては、複数の基準長Ｌ１０１〜Ｌ１０５が、段階的に変化する複数の透過率Ｔ１０１〜Ｔ１０５に対応して段階的に変化するように規定されている。そのため、検査用シート１０１の複数の透過率Ｔ１０１〜Ｔ１０５が段階的に設定されているので、表面汚染部の明度を、容易且つ詳細に判断できる。また、基準長Ｌ１０１〜Ｌ１０５が段階的に変化する複数の透過率Ｔ１０１〜Ｔ１０５に対応して段階的に規定されているので、透過率に対応させて表面汚染部の大きさを容易且つ詳細に判断できる。これにより、さらにより良い精度で、空気調和機における良品・不良品の判断をすることができる。そのため、より効率的で無駄のない表面汚染度の評価が可能となる。
【００８７】
このように、シートの透過率の種類を多くすることで、より詳細な汚染度の判断が可能となる。また、この検査用シート１０１の使用方法は、例えば、上記の第１実施形態にかかる検査用シート１の使用方法に準ずるものとなる。また、明度判断部１０３としては、領域１０２ａ〜１０２ｅを使用してもよいし、領域１０２ｍ〜１０２ｑを使用してもよい。
【００８８】
（第３実施形態）
次に、本発明にかかる検査用シートの第３実施形態について、上記の実施形態と異なる部分を中心に説明する。なお、上記の実施形態と同様の部分についてはその説明を省略する。図１０は、本発明の第３実施形態に係る検査用シートを示す概略図である。
【００８９】
本実施形態にかかる検査用シート２０１の判断用シート２０１ｃは、領域２０２ａ〜２０２ｅの五つの領域を有して構成されている。また、五つの領域２０２ａ〜２０２ｅは、二つの透過率Ｔ２０１，Ｔ２０２を有している。具体的には、領域２０２ａ，２０２ｃ，２０２ｅの透過率がＴ２０１であり、領域２０２ｂ，２０２ｄの透過率がＴ２０２となっている。
【００９０】
また、明度判断部２０３は、領域２０２ａ，２０２ｅを有して構成され、大きさ判断部２０４は、領域２０２ｂ〜２０２ｄを有して構成されている。また、判断用領域２０５は、領域２０２ｃである。また、判断用領域２０５には、二つの無着色領域２０２ｂ，２０２ｄが隣接している。また、判断用領域２０５が第２領域２０７となっている。そして、第１領域２０６は無着色領域であり、判断用領域２０５（第２領域２０７）は着色領域である。そして、大きさ判断部２０４における基準長Ｌ２０１は、判断用領域２０５における領域２０２ｃと、隣接する領域２０２ｂ，２０２ｄとの境界線上における２点間の距離として規定されている。また、第２領域２０７は、第１領域２０６中に配置された一つの帯状部として形成されていおり、帯状部における基準長Ｌ２０１は、帯状部の幅の長さである。また、第２領域２０７は、第１領域２０６に対して透過率が異なる。
【００９１】
判断用シート２０１ｃの使用方法について説明する。まず、明度判断部２０３（領域２０２ａ，２０２ｅ）において、表面汚染部の明度を判断する。そして、表面汚染部が明度判断部２０３を透過した場合には検査対象の筐体１０ｂは不良品となる。表面汚染部が明度判断部２０３を透過しない場合であっても、大きさ判断部２０４において、表面汚染部の大きさがＬ２０１以上であれば、筐体１０ｂは不良品となる。表面汚染部が明度判断部２０３を透過しない場合であって、且つ、大きさ判断部２０４において、表面汚染部の大きさがＬ２０１以下であれば筐体１０ｂは良品となる。検査用シートの透過率はこのように二種類のみであってもよく、このような検査用シートを用いることによっても、表面汚染部の明度だけでなく大きさも検査することができるので、簡易な構成により、空気調和機における効率的で無駄のない表面汚染度の評価が可能となる。また、明度判断部２０３としては、領域２０２ａを使用してもよいし、領域２０２ｅを使用してもよい。
【００９２】
（第４実施形態）
次に、本発明にかかる検査用シートの第４実施形態について、上記の実施形態と異なる部分を中心に説明する。なお、上記の実施形態と同様の部分についてはその説明を省略する。図１１は、本発明の第４実施形態に係る検査用シートを示す概略図である。図１１には、表面汚染部の一例として、表面汚染部８ｆを示している。
【００９３】
本実施形態にかかる検査用シート３０１の判断用シート３０１ｃは、領域３０２ａ〜３０２ｃの三つの領域を有して構成されている。また、三つの領域３０２ａ〜３０２ｃは、二つの透過率Ｔ３０１，Ｔ３０２を有している。具体的には、領域３０２ａ，３０２ｃの透過率がＴ３０１であり、領域３０２ｂの透過率がＴ３０２となっている。
【００９４】
また、明度判断部３０３は、領域３０２ａ，３０２ｃを有して構成され、大きさ判断部３０４は、領域３０２ａ、３０２ｃの一部、及び、３０２ｂを有して構成されている。また、判断用領域３０５は、領域３０２ｂである。判断用領域３０５が第２領域３０７となっている。また、判断用領域３０５（第２領域３０７）は無着色領域であり、二つの着色領域３０２ａ，３０２ｃが隣接している。また、第１領域３０６は着色領域である。そして、大きさ判断部３０４における基準長Ｌ３０１は、判断用領域３０５における領域３０２ｂと、隣接する領域３０２ａ，３０２ｃとの境界線上における２点間の距離として規定されている。また、第２領域３０７は、第１領域３０６中に配置された一つの帯状部として形成されており、帯状部における基準長Ｌ３０１は、帯状部の幅の長さである。また、第２領域３０７は、第１領域３０６に対して透過率が異なる。
【００９５】
上記の判断用シートでは、表面汚染部が大きさ判断部の判断領域内に入りきらず、判断領域からはみ出している部分が見えているときに、表面汚染部が基準長よりも大きいと判断されるが、本実施形態に係る判断用シート３０１ｃでは、大きさ判断部３０４において、判断領域３０５内に表面汚染部が入りきらない場合に、表面汚染部の大きさが基準長Ｌ３０１よりも大きいと判断される。このような検査用シートを用いることによっても、簡易な構成により、空気調和機における効率的で無駄のない表面汚染度の評価が可能となる。また、この検査用シート３０１の使用方法は、上記の方法の他、例えば、上記の第１実施形態にかかる検査用シート１の使用方法に準ずるものとなる。一例として、表面汚染部８ｆは、領域３０２ａ、３０２ｇを透過しないが（図１１では、説明のため、本来は見えない表面汚染部８ｆの輪郭を示している）、表面汚染部８ｆの大きさは、大きさ判断部３０４の領域３０２ｂの幅の長さである基準長Ｌ３０１よりも大きい（判断用領域３０５内に入りきらない）ため、筐体１０ｂは不良品となる。なお、明度判断部３０３としては、領域３０２ａを使用してもよいし、領域３０２ｃを使用してもよい。
【００９６】
（第５実施形態）
次に、本発明にかかる検査用シートの第５実施形態について、上記の実施形態と異なる部分を中心に説明する。なお、上記の実施形態と同様の部分についてはその説明を省略する。図１２は、本発明の第５実施形態に係る検査用シートを示す概略図である。
【００９７】
本実施形態にかかる検査用シート４０１の判断用シート４０１ｃは、領域４０２ａ〜４０２ｄの四つの領域を有して構成されている。また、四つの領域４０２ａ〜４０２ｄは、二つの透過率Ｔ４０１，Ｔ４０２を有している。具体的には、領域４０２ａ，４０２ｃ，４０２ｄの透過率がＴ４０１であり、領域４０２ｂの透過率がＴ４０２となっている。
【００９８】
また、判断用シート４０１ｃにおける四つの領域は、第１領域４０６（領域４０２ｂ）と、第１領域４０６に対して透過率が異なる第２領域４０７（領域４０２ｄ）と、を有して構成され、第２領域４０７は、第１領域４０６中に配置された一つの円形状の島状部として形成されている。なお、本実施形態においては、島状部の形状が円形状となっているが、島状部の形状は円形状以外であってもよい。また、本実施形態においては、島状部は一つであるが、第２領域は、第１領域中に配置された単数または複数の島状部として形成されていればよく、二つであってもよいし（後述する第９実施形態参照）、三つ以上であってもよい。
【００９９】
また、明度判断部４０３は、領域４０２ａ、４０２ｃを有して構成され、大きさ判断部４０４は、領域４０２ｂ，４０２ｄを有して構成されている。また、判断用領域４０５は領域４０２ｄであり、判断用領域４０５が第２領域４０７となっている。また、判断用領域４０５（第２領域４０７）は着色領域であり、一つの無着色領域４０２ｂが隣接している。また、第１領域４０６は無着色領域である。そして、大きさ判断部４０４における基準長Ｌ４０１は、判断用領域４０５における領域４０２ｄと、隣接する領域４０２ｂとの境界線上における２点間の距離として規定されている。また、島状部における基準長Ｌ４０１は、島状部の径の長さである。判断用シートは、このように構成されていてもよい。
【０１００】
上記のように、検査用シート４０１では、複数の領域４０２ａ〜４０２ｄは、第１領域４０６と、第１領域４０６に対して透過率が異なる第２領域４０７と、を有して構成され、第２領域４０７は、第１領域４０６中に配置された単数の島状部として形成されており、判断用領域４０５は第２領域４０７であり、島状部における基準長Ｌ４０１は島状部の径の長さである。そのため、簡易な構成により、効率的で無駄のない表面汚染度の評価が可能となる。また、この検査用シート４０１の使用方法は、例えば、上記の第１実施形態にかかる検査用シート１の使用方法に準ずるものとなる。また、明度判断部４０３としては、領域４０２ａを使用してもよいし、領域４０２ｃを使用してもよい。
【０１０１】
（第６実施形態）
次に、本発明にかかる検査用シートの第６実施形態について、上記の実施形態と異なる部分を中心に説明する。なお、上記の実施形態と同様の部分についてはその説明を省略する。図１３は、本発明の第６実施形態に係る検査用シートを示す概略図である。
【０１０２】
本実施形態にかかる検査用シート５０１の判断用シート５０１ｃは、領域５０２ａ，５０２ｂの二つの領域を有して構成されている。また、二つの領域５０２ａ，５０２ｂは、二つの透過率Ｔ５０１，Ｔ５０２を有している。具体的には、領域５０２ａの透過率がＴ５０１であり、領域５０２ｂの透過率がＴ５０２となっている。
【０１０３】
また、判断用シート５０１ｃにおける二つの領域は、第１領域５０６（領域５０２ａ）と、第１領域５０６に対して透過率が異なる第２領域５０７（領域５０２ｂ）と、を有して構成され、第２領域５０７は、第１領域５０６中に配置された一つの円形状の島状部として形成されている。また、判断用領域５０５は第２領域５０７であり、島状部における基準長Ｌ５０１は島状部の径の長さである。また、第２領域５０７は、第１領域５０６に対して透過率が異なる。
【０１０４】
また、明度判断部５０３は領域５０２ａであり、大きさ判断部５０４は、領域５０２ａ，５０２ｂを有して構成されている。また、判断用領域５０５は無着色領域であり、一つの着色領域５０２ａが隣接している。判断用シートは、このように構成されていてもよい。また、この検査用シート３０１の使用方法は、例えば、上記の第１実施形態にかかる検査用シート１、第５実施形態にかかる検査用シート４０１の使用方法に準ずるものとなる。
【０１０５】
（第７実施形態）
次に、本発明にかかる検査用シートの第７実施形態について、上記の実施形態と異なる部分を中心に説明する。なお、上記の実施形態と同様の部分についてはその説明を省略する。図１４は、本発明の第７実施形態に係る検査用シートを示す概略図である。
【０１０６】
本実施形態にかかる検査用シート６０１の判断用シート６０１ｃは、領域６０２ａ〜６０２ｄの四つの領域を有して構成されている。また、四つの領域６０２ａ〜６０２ｄは、二つの透過率Ｔ６０１，Ｔ６０２を有している。具体的には、領域６０２ａ，６０２ｃ，６０２ｄの透過率がＴ６０１であり、領域６０２ｂの透過率がＴ６０２となっている。
【０１０７】
四つの領域６０２ａ〜６０２ｄは、第１領域６０６と、第１領域６０６に対して透過率が異なる第２領域６０７と、を有して構成されている。また、第２領域６０７は、対向する直線状の二辺６１１ａ，６１１ｂを有して形成された、一つの第３領域６０８を含んでいる。そして、第２領域６０７における一つの第３領域６０８は、二辺６１１ａ，６１１ｂが交わるように形成されている。また、第２領域６０７における一つの第３領域６０８は、二辺６１１ａ，６１１ｂの内側において第１領域６０６と隣接している。なお、本実施形態においては、第２領域６０７は、二辺６１１ａ，６１１ｂが交わるように形成されているが、このようなものには限られず、二辺が交わらないが、二辺の延長線が交わるように形成されているものであってもよい。また、本実施形態では、第２領域６０７が一つの第３領域６０８を含んでいるが、第２領域は単数または複数の第３領域を含んでいればよく、二つ以上の第３領域を含んでいてもよい。
【０１０８】
また、明度判断部６０３は、領域６０２ａ、６０２ｃを有して構成され、大きさ判断部６０４は、領域６０２ｂ，６０２ｄを有して構成されている。また、判断用領域６０５が第２領域６０７となっており、判断用領域６０５は領域６０２ｄである。また、判断用領域６０５（第２領域６０７）は着色領域であり、一つの無着色領域６０２ｂが隣接している。また、第１領域６０６は無着色領域である。また、第２領域６０７は、第１領域６０６に対して透過率が異なる。そして、大きさ判断部６０４における基準長Ｌ６０１は、判断用領域６０５における領域６０２ｄと、隣接する領域６０２ｂとの境界線上における２点間の距離として規定されている。具体的には、第３領域６０８における基準長Ｌ６０１は、第３領域６０８の所定位置における二辺６１１ａ，６１１ｂの間の長さである。本実施形態では、ここでの所定位置を図の基準線６１２の位置としているが、これは、図の左右方向について、任意の位置に定めることができる。判断用シートは、このように構成されていてもよい。
【０１０９】
判断用シート６０１ｃにおいては、基準長Ｌ６０１よりも最大長が小さい表面汚染部、すなわち、表面汚染部の最大長方向を基準線６１２の方向に合わせたときに、表面汚染部の最大長が基準長Ｌ６０１よりも小さくなるような表面汚染部は良品と判断される。また、基準長Ｌ６０１よりも最大長が大きい表面汚染部、すなわち、表面汚染部の最大長方向を基準線６１２の方向に合わせたときに、表面汚染部の最大長が基準長Ｌ６０１よりも大きくなるような表面汚染部は、不良品と判断される。
【０１１０】
上記のように、この検査用シート６０１では、複数の領域６０２ａ〜６０２ｄは、第１領域６０６と、第１領域６０６に対して透過率が異なる第２領域と、を有して構成され、前記第２領域は、対向する直線状の二辺６１１ａ，６１１ｂを有して形成された単数の第３領域６０８を含み、第２領域６０７における一つの第３領域６０８は、二辺６１１ａが交わるように形成された、且つ、二辺６１１ａの内側において第１領域６０６と隣接しており、判断用領域６０５は第２領域６０７であり、第３領域６０８における基準長Ｌ６０１は、第３領域６０８の所定位置における二辺６１１ａの間の長さである。そのため、簡易な構成により、効率的で無駄のない表面汚染度の評価が可能となる。また、判断用領域６０５の形状を変更せずに、基準長Ｌ６０１の長さを柔軟に変更することができる。また、この検査用シート６０１の使用方法は、上記の方法の他、例えば、上記の第１実施形態にかかる検査用シート１の使用方法に準ずるものとなる。また、明度判断部６０３としては、領域６０２ａを使用してもよいし、領域６０２ｃを使用してもよい。
【０１１１】
（第８実施形態）
次に、本発明にかかる検査用シートの第８実施形態について、上記の実施形態と異なる部分を中心に説明する。なお、上記の実施形態と同様の部分についてはその説明を省略する。図１５は、本発明の第８実施形態に係る検査用シートを示す概略図である。
【０１１２】
本実施形態にかかる検査用シート７０１の判断用シート７０１ｃは、領域７０２ａ，７０２ｂの二つの領域を有して構成されている。また、二つの領域７０２ａ，７０２ｂは、二つの透過率Ｔ７０１，Ｔ７０２を有している。具体的には、領域７０２ａの透過率がＴ７０１であり、領域７０２ｂの透過率がＴ７０２となっている。
【０１１３】
また、二つの領域７０２ａ，７０２ｂは、第１領域７０６と、第１領域７０６に対して透過率が異なる第２領域７０７と、を有して構成されている。また、第２領域７０７は、対向する直線状の二辺７１１ａ，７１１ｂを有して三角形に形成された、一つの第３領域７０８を含んでいる。そして、第２領域７０７における一つの第３領域７０８は、二辺７１１ａ，７１１ｂが交わるように形成され、且つ、二辺７１１ａ，７１１ｂの外側において第１領域７０６と隣接している。そして、判断用領域７０５は第２領域７０７であり、第３領域７０８における基準長Ｌ７０１は、第３領域７０８の所定位置（図の基準線７１２の位置）における二辺７１１ａ，７１１ｂの間の長さである。また、第２領域７０７は、第１領域７０６に対して透過率が異なる。なお、第２領域は、二つ以上の第３領域を含んでいてもよい（例えば、後述する第１２実施形態参照）。
【０１１４】
また、明度判断部７０３は、領域７０２ａであり、大きさ判断部７０４は、領域７０２ａ，７０２ｂを有して構成されている。また、判断用領域７０５は領無着色領域であり、一つの着色領域７０２ａが隣接している。判断用シートは、このように構成されていてもよい。また、この検査用シート７０１の使用方法は、例えば、上記の第１実施形態にかかる検査用シート１、第７実施形態に係る検査用シート６０１の使用方法に準ずるものとなる。
（第９実施形態）
次に、本発明にかかる検査用シートの第９実施形態について、上記の実施形態と異なる部分を中心に説明する。なお、上記の実施形態と同様の部分についてはその説明を省略する。図１６は、本発明の第９実施形態に係る検査用シートを示す概略図である。
【０１１５】
本実施形態にかかる検査用シート８０１の判断用シート８０１ｃは、領域８０２ａ〜８０２ｅの五つの領域を有して構成されている。また、五つの領域８０２ａ〜８０２ｅは、三つの透過率Ｔ８０１，Ｔ８０２，Ｔ８０３を有している。具体的には、領域８０２ｃ，８０２ｄの透過率がＴ８０１であり、領域８０２ａ，８０２ｅの透過率がＴ８０２であり、領域８０２ｂの透過率がＴ８０３となっている。また、複数の透過率Ｔ８０１，Ｔ８０２は、Ｔ８０１＞Ｔ８０２の関係を満たしつつ、段階的に変化するように設定されている。
【０１１６】
また、判断用シート８０１ｃにおける五つの領域は、第１領域８０６（領域８０２ｂ）と、第１領域８０６に対して透過率が異なる第２領域８０７（領域８０２ｄ及び領域８０２ｅ）と、を有して構成され、第２領域８０７は、第１領域８０６中に配置された二つの円形状の島状部として形成されている。
【０１１７】
また、明度判断部８０３は、領域８０２ａ、８０２ｃであり、大きさ判断部８０４は、領域８０２ｂ，８０２ｄ，８０２ｅを有して構成されている。また、判断用領域８０５が第２領域８０７となっており、判断用領域８０５は、領域８０２ｄ及び領域８０２ｅである。また、判断用領域８０５は着色領域であり、一つの無着色領域８０２ｂが隣接している。また、第１領域８０６は無着色領域であり、大きさ判断部８０４における基準長Ｌ８０１，Ｌ８０２は、判断用領域８０５と、判断用領域８０５に隣接する領域と、の境界線上における２点間の距離として規定されている。具体的には、判断用領域８０５としての領域８０２ｄに関しては、領域８０２ｄと、それに隣接する領域８０２ｂと、の境界線上における２点間の距離として、基準長Ｌ８０１が規定されている。また、判断用領域８０５としての領域８０２ｅに関しては、領域８０２ｅと、それに隣接する領域８０２ｂと、の境界線上における２点間の距離として、基準長Ｌ８０２が規定されている。
【０１１８】
また、島状部における基準長は当該島状部の径の長さである。具体的には、二つの島状部における基準長Ｌ８０１，Ｌ８０２は、それぞれの島状部の径の長さであり、さらに具体的に説明すると、基準長Ｌ８０１，Ｌ８０２は、島状部として形成された第２領域８０７としての領域８０２ｄ，８０２ｅのそれぞれの径の長さとなっている。なお、本実施形態においては、島状部の形状が円形状となっているが、島状部の形状は円形状以外であってもよい。
【０１１９】
また、大きさ判断部８０４においては、二つの基準長Ｌ８０１，Ｌ８０２が、段階的に変化する二つの透過率Ｔ８０１，Ｔ８０２に対応して変化するように規定されている。具体的には、上記のように透過率Ｔ８０１，Ｔ８０２の間には、Ｔ８０１＞Ｔ８０２の関係が成立しており、その関係に対応して、領域８０２ｄ（透過率Ｔ８０１）及び領域８０２ｅ（透過率Ｔ８０２）における基準長Ｌ８０１，Ｌ８０２の間にもＬ８０１＞Ｌ８０２の関係が成立している。これにより、より良い精度で、空気調和機における良品・不良品の判断をすることができ、より効率的で無駄のない表面汚染度の評価が可能となる。判断用シートは、このように構成されていてもよい。
【０１２０】
上記のように、検査用シート８０１では、複数の領域８０２ａ〜８０２ｅは、第１領域８０６と、第１領域８０６に対して透過率が異なる第２領域８０７と、を有して構成され、第２領域８０７は、第１領域８０６中に配置された二つの島状部として形成されており、判断用領域８０５は第２領域８０７であり、島状部における基準長Ｌ８０１，Ｌ８０２は、島状部の径の長さである。そのため、簡易な構成により、効率的で無駄のない表面汚染度の評価が可能となる。また、この検査用シート８０１の使用方法は、例えば、上記の第１実施形態にかかる検査用シート１の使用方法に準ずるものとなる。また、明度判断部８０３としては、領域８０２ａを使用してもよいし、領域８０２ｃを使用してもよい。
（第１０実施形態）
次に、本発明にかかる検査用シートの第１０実施形態について、上記の実施形態と異なる部分を中心に説明する。なお、上記の実施形態と同様の部分についてはその説明を省略する。図１７は、本発明の第１０実施形態に係る検査用シートを示す概略図である。
【０１２１】
本実施形態にかかる検査用シート９０１の判断用シート９０１ｃは、領域９０２ａ〜９０２ｏの十五の領域を有して構成されている。そして、複数の領域９０２ａ〜９０２ｏは、一対の領域からなる領域対を複数有している。具体的には、複数の領域９０２ａ〜９０２ｏには、五つの領域対が含まれ、これらの領域対は、それぞれ、一対の領域９０２ａ，９０２ｋ、一対の領域９０２ｂ，９０２ｌ、一対の領域９０２ｃ，９０２ｍ、一対の領域９０２ｄ，９０２ｎ、及び、一対の領域９０２ｅ、９０２ｏからなる。そして、複数の領域対のそれぞれにおいて、一対の領域（例えば、一対の領域９０２ａ，９０２ｋ）の透過率は同一である。なお、本実施形態においては、五つの領域対が含まれているが、複数の領域対であればよく、領域対の数は五つ以外であってもよい。
【０１２２】
そして、複数の領域対においては、複数の透過率が段階的に変化するように設定されている。具体的には、複数の領域９０２ａ〜９０２ｏは、六つの透過率Ｔ９０１〜Ｔ９０６を有している。より詳細には、複数の領域９０２ａ〜９０２ｏのうち、一対の領域９０２ａ，９０２ｋからなる領域対の透過率はＴ９０１と、一対の領域９０２ｂ，９０２ｌからなる領域対の透過率はＴ９０２と、一対の領域９０２ｃ，９０２ｍからなる領域対の透過率はＴ９０３と、一対の領域９０２ｄ，９０２ｎからなる領域対の透過率はＴ９０４と、一対の領域９０２ｅ、９０２ｏからなる領域対の透過率はＴ９０５となっている。また、領域９０２ｆ〜９０２ｊの透過率はＴ９０６となっている。そして、複数の領域対においては、五つの透過率Ｔ９０１〜Ｔ９０５は、Ｔ９０１＞Ｔ９０２＞Ｔ９０３＞Ｔ９０４＞Ｔ９０５の関係を満たしており、段階的に変化するように設定されている。
【０１２３】
また、明度判断部９０３は、領域９０２ａ〜９０２ｅ、９０２ｋ〜９０２ｏを有して構成され、大きさ判断部９０４は、領域９０２ａ〜９０２ｅ、９０２ｋ〜９０２ｏの一部と、領域９０２ｆ〜９０２ｊとを含んで構成されている。
【０１２４】
また、判断用領域９０５は、領域９０２ｆ〜９０２ｊであり、無着色領域である。また、判断用領域９０５には、着色領域である領域９０２ａ〜９０２ｅ、９０２ｋ〜９０２ｏが隣接している。そして、複数の領域対のそれぞれにおいて、判断用領域９０５は、一対の領域（例えば、左端の領域対における一対の領域９０２ａ，９０２ｋ）の間に挟まれつつ、一対の領域に隣接している。また、判断用領域９０５における透過率Ｔ９０６は、当該領域対における透過率（Ｔ９０１〜Ｔ９０５のそれぞれ）とは異なる。
【０１２５】
そして、大きさ判断部９０４における五つの基準長Ｌ９０１〜Ｌ９０５は、判断用領域９０５における領域９０２ｆ〜９０２ｊと、隣接する領域９０２ａ〜９０２ｅ、９０２ｋ〜９０２ｏのそれぞれとの境界線上における２点間の距離として、それぞれが規定されている。そして、五つの基準長Ｌ９０１〜Ｌ９０５は、段階的に変化する五つの透過率Ｔ９０１〜Ｔ９０５に対応して、段階的に変化するように規定されている。具体的には、段階的に変化する五つの透過率Ｔ９０１〜Ｔ９０５の、Ｔ９０１＞Ｔ９０２＞Ｔ９０３＞Ｔ９０４＞Ｔ９０５の関係に対応して、五つの基準長Ｌ９０１〜Ｌ９０５は、段階的に変化するように規定されており、五つの基準長Ｌ９０１〜Ｌ９０５については、Ｌ９０１＞Ｌ９０２＞Ｌ９０３＞Ｌ９０４＞Ｌ９０５の関係が成立している。
【０１２６】
検査用シートはこのように構成されていてもよい。このように、シートの透過率の種類を多くすることで、より詳細な汚染度の判断が可能となる。また、この検査用シート９０１の使用方法は、例えば、上記の第１実施形態にかかる検査用シート１の使用方法に準ずるものとなる。また、明度判断部９０３としては、領域９０２ａ〜９０２ｅを使用してもよいし、領域９０２ｇ〜９０２ｋを使用してもよい。
【０１２７】
上記のように、検査用シート９０１では、複数の領域９０１ａ〜９０１ｏは、一対の領域からなる領域対を複数有しており、複数の領域対のそれぞれにおいて、一対の領域の透過率は同一であり、複数の領域対においては、複数の透過率Ｔ９０１〜Ｔ９０５が段階的に変化するように設定されており、複数の領域対のそれぞれにおいて、判断用領域９０５は、一対の領域の間に挟まれつつ一対の領域に隣接し、且つ、判断用領域９０５における透過率Ｔ９０６は、当該領域対における透過率Ｔ９０１〜Ｔ９０５とは異なり、大きさ判断部９０４においては、複数の基準長Ｌ９０１〜Ｌ９０５が、段階的に変化する複数の透過率Ｔ９０１〜Ｔ９０５に対応して段階的に変化するように規定されている。そのため、検査用シートの複数の透過率が段階的に設定されているので、表面汚染部の明度を、容易且つ詳細に判断できる。また、基準長が、段階的に変化する複数の透過率に対応して段階的に規定されているので、透過率に対応させて表面汚染部の大きさを容易且つ詳細に判断できる。これにより、より良い精度で、空気調和機における良品・不良品の判断をすることができる。そのため、より効率的で無駄のない表面汚染度の評価が可能となる。
【０１２８】
また、判断用領域９０５は無着色領域である。そのため、判断用領域が無着色領域であり、その周囲が着色領域となるために、判断用領域からはみ出してしまう表面汚染部を容易且つ確実に確認できる。
（第１１実施形態）
次に、本発明にかかる検査用シートの第１１実施形態について、上記の実施形態と異なる部分を中心に説明する。なお、上記の実施形態と同様の部分についてはその説明を省略する。図１８は、本発明の第１１実施形態に係る検査用シートを示す概略図である。
【０１２９】
本実施形態にかかる検査用シート１００１の判断用シート１００１ｃは、領域１００２ａ〜１００２ｄの四つの領域を有して構成されている。また、四つの領域１００２ａ〜１００２ｄは、三つの透過率Ｔ１００１，Ｔ１００２，Ｔ１００３を有している。具体的には、領域１００２ａの透過率がＴ１００１であり、領域１００２ｃの透過率がＴ１００２であり、領域１００２ｂ、１００２ｄの透過率がＴ１００３となっている。
【０１３０】
また、判断用シート１００１ｃにおける四つの領域は、二つの第４領域１００６，１００６（領域１００２ａ及び領域１００２ｃ）と、二つの第５領域１００７，１００７（領域１００２ｂ及び領域１００２ｄ）と、を有して構成されている。そして、複数の第５領域１００７，１００７のそれぞれ（領域１００２ｂ、領域１００２ｄ）は、二つの第４領域１００６，１００６のそれぞれ（領域１００２ａ、領域１００２ｃ）において、円形状の島状部として配置されている。そして、上記からいえるように、二つの第４領域１００６，１００６のそれぞれにおいて、当該第４領域１００６（例えば、領域１００２ａ）に配置された第５領域１００７（例えば、領域１００２ｂ）は、当該第４領域１００６に対して透過率が異なる。そして、二つの第４領域１００６，１００６においては、複数の透過率Ｔ１００１，Ｔ１００２が、Ｔ１００１＞Ｔ１００２の関係を満たしつつ、段階的に変化するように設定されている。
【０１３１】
また、明度判断部１００３は、領域１００２ａ、１００２ｃであり、大きさ判断部１００４は、領域１００２ｂ及び１００２ｄ，並びに、領域１００２ａ及び１００２ｃの一部、を有して構成されている。大きさ判断部１００４において、判断用領域１００５は二つの第５領域１００７，１００７（領域１００２ｂ及び領域１００２ｄ）である。
【０１３２】
また、判断用領域１００５は無着色領域であり、二つの着色領域１００２ａ，１００２ｃが隣接している。また、二つの第４領域１００６，１００６は着色領域であり、大きさ判断部１００４における基準長Ｌ１００１，Ｌ１００２は、判断用領域１００５と、判断用領域１００５に隣接する領域と、の境界線上における２点間の距離として規定されている。具体的には、判断用領域１００５としての領域１００２ｂに関しては、領域１００２ｂと、それに隣接する領域１００２ａと、の境界線上における２点間の距離として、基準長Ｌ１００１が規定されている。また、判断用領域１００５としての領域１００２ｄに関しては、領域１００２ｄと、それに隣接する領域１００２ｃと、の境界線上における２点間の距離として、基準長Ｌ１００２が規定されている。
【０１３３】
そして、島状部における基準長は、当該島状部の径の長さである。具体的には、二つの島状部における基準長Ｌ１００１，Ｌ１００２は、それぞれの島状部の径の長さであり、さらに具体的に説明すると、基準長Ｌ１００１，Ｌ１００２は、島状部として形成された二つの第５領域１００７，１００７としての領域１００２ｂ，１００２ｄのそれぞれの径の長さとなっている。なお、本実施形態においては、島状部の形状が円形状となっているが、島状部の形状は円形状以外であってもよい。
【０１３４】
また、大きさ判断部１００４においては、二つの基準長Ｌ１００１，Ｌ１００２が、段階的に変化する二つの透過率Ｔ１００１，Ｔ１００２に対応して変化するように規定されている。具体的には、上記のように透過率Ｔ１００１，Ｔ１００２の間には、Ｔ１００１＞Ｔ１００２の関係が成立しており、その関係に対応して、領域１００２ｂ及び領域１００２ｄにおける基準長Ｌ１００１，Ｌ１００２の間にもＬ１００１＞Ｌ１００２の関係が成立している。これにより、より良い精度で、空気調和機における良品・不良品の判断をすることができ、より効率的で無駄のない表面汚染度の評価が可能となる。判断用シートは、このように構成されていてもよく、簡易な構成により、効率的で無駄のない表面汚染度の評価が可能となる。また、この検査用シート１００１の使用方法は、例えば、上記の第１実施形態にかかる検査用シート１の使用方法に準ずるものとなる。
【０１３５】
上記のように、検査用シート１００１では、複数の領域１００２ａ〜１００２ｄは、複数の第４領域１００６と、複数の第５領域１００７と、を有して構成され、複数の第５領域１００７のそれぞれは、複数の第４領域１００６のそれぞれにおいて島状部として配置され、複数の第４領域１００６のそれぞれにおいて、当該第４領域１００６に配置された第５領域１００７は、当該第４領域１００６に対して透過率が異なり、複数の第４領域１００６においては、複数の透過率Ｔ１００１，Ｔ１００２が段階的に変化するように設定されており、判断用領域１００５は複数の第５領域１００７であり、島状部における基準長Ｌ１００１，Ｌ１００２は、当該島状部の径の長さであり、大きさ判断部においては、複数の基準長Ｌ１００１，Ｌ１００２が、段階的に変化する複数の透過率Ｔ１００１，Ｔ１００２に対応して段階的に変化するように規定されている。そのため、検査用シートの複数の透過率が段階的に設定されているので、表面汚染部の明度を、容易且つ詳細に判断できる。また、基準長が、段階的に変化する複数の透過率に対応して段階的に規定されているので、透過率に対応させて表面汚染部の大きさを容易且つ詳細に判断できる。これにより、より良い精度で、空気調和機における良品・不良品の判断をすることができる。そのため、より効率的で無駄のない表面汚染度の評価が可能となる。また、検査シートの構成が簡易なものとなる。
【０１３６】
また、判断用領域１００５は無着色領域である。そのため、判断用領域が無着色領域であり、その周囲が着色領域となるために、判断用領域からはみ出してしまう表面汚染部を容易且つ確実に確認できる。
【０１３７】
なお、本実施形態では、第４領域、及び、第５領域が、それぞれ二つ形成されているが、これらは複数形成されていればよく、第４領域、第５領域の数は、それぞれ二つ以上であってもよい。
（第１２実施形態）
次に、本発明にかかる検査用シートの第１２実施形態について、上記の実施形態と異なる部分を中心に説明する。なお、上記の実施形態と同様の部分についてはその説明を省略する。図１９は、本発明の第１２実施形態に係る検査用シートを示す概略図である。
【０１３８】
本実施形態にかかる検査用シート１１０１の判断用シート１１０１ｃは、領域１１０２ａ〜１１０２ｄの四つの領域を有して構成されている。また、四つの領域１１０２ａ〜１１０２ｄは、三つの透過率Ｔ１１０１，Ｔ１１０２，Ｔ１１０３を有している。具体的には、領域１１０２ａの透過率がＴ１１０１であり、領域１１０２ｃの透過率がＴ１１０２であり、領域１１０２ｂ、１１０２ｄの透過率がＴ１１０３となっている。
【０１３９】
また、判断用シート１１０１ｃにおける四つの領域は、二つの第４領域１１０６，１１０６（領域１１０２ａ及び領域１１０２ｃ）と、二つの第５領域１１０７，１１０７（領域１１０２ｂ及び領域１１０２ｄ）と、を有して構成されている。そして、複数の第５領域１００７，１００７のそれぞれ（領域１１０２ｂ、領域１１０２ｄ）は、二つの第４領域１１０６，１１０６のそれぞれ（領域１１０２ａ、１１０２ｃ）に配置されている。
【０１４０】
複数の第５領域１１０７，１１０７のそれぞれは、対抗する直線状の二辺１１１１ａ及び１１１１ｂ（又は、１１１１ｃ及び１１１１ｄ）を有して三角形に形成されている。そして、上記からいえるように、二つの第４領域１１０６，１１０６のそれぞれにおいて、当該第４領域１１０６（例えば、領域１１０２ａ）に配置された第５領域１１０７（例えば、領域１１０２ｂ）は、当該第４領域１１０６に対して透過率が異なる。また、二つの第４領域１１０６，１１０６においては、複数の透過率Ｔ１１０１，Ｔ１１０２は、Ｔ１１０１＞Ｔ１１０２の関係を満たしつつ、段階的に変化するように設定されている。
【０１４１】
そして、二つの第５領域１１０７のそれぞれは、二辺１１１１ａ及び１１１１ｂ（又は、二辺１１１１ｃ及び１１１１ｄ）が交わるように形成され、且つ、それぞれ、二辺１１１１ａ及び１１１１ｂ（又は、１１１１ｃ及び１１１１ｄ）の外側において、第４領域１１０６と隣接している。
【０１４２】
また、明度判断部１１０３は、領域１１０２ａ、１１０２ｃであり、大きさ判断部１１０４は、領域１１０２ｂ及び１１０２ｄ，並びに、領域１１０２ａ及び１１０２ｃの一部、を有して構成されている。また、判断用領域１１０５は二つの第５領域１１０７，１１０７（領域１１０２ｂ及び領域１１０２ｄ）である。
【０１４３】
また、判断用領域１１０５は無着色領域であり、二つの着色領域１１０２ａ、１１０２ｃが隣接している。また、二つの第４領域１１０６，１１０６は着色領域であり、大きさ判断部１１０４における基準長Ｌ１１０１，Ｌ１１０２は、判断用領域１１０５と、判断用領域１１０５に隣接する領域と、の境界線上における２点間の距離として規定されている。具体的には、第５領域１１０７における基準長Ｌ１１０１は、第５領域１１０７（領域１１０２ｂ）の所定位置（図の基準線１１１２ａの位置）における二辺１１１１ａ，１１１１ｂの間の長さである。また、第５領域１１０７における基準長Ｌ１１０２は、第５領域１１０７（領域１１０２ｄ）の所定位置（図の基準線１１１２ｂの位置）における二辺１１１１ｃ，１１１１ｄの間の長さである。
【０１４４】
また、大きさ判断部１１０４においては、二つの基準長Ｌ１１０１，Ｌ１１０２が、段階的に変化する二つの透過率Ｔ１１０１，Ｔ１１０２に対応して変化するように規定されている。具体的には、上記のように透過率Ｔ１１０１，Ｔ１１０２の間には、Ｔ１１０１＞Ｔ１１０２の関係が成立しており、その関係に対応して、領域１１０２ｂ及び領域１１０２ｄにおける基準長Ｌ１１０１，Ｌ１１０２の間にもＬ１１０１＞Ｌ１１０２の関係が成立している。これにより、より良い精度で、空気調和機における良品・不良品の判断をすることができ、より効率的で無駄のない表面汚染度の評価が可能となる。判断用シートは、このように構成されていてもよく、簡易な構成により、効率的で無駄のない表面汚染度の評価が可能となる。また、この検査用シート１１０１の使用方法は、例えば、上記の第１実施形態にかかる検査用シート１の使用方法に準ずるものとなる。
【０１４５】
上記のように、検査用シート１１０１では、複数の領域１１０２ａ〜１１０２ｄは、複数の第４領域１１０６と、複数の第５領域１１０７と、を有して構成され、複数の第５領域１１０７のそれぞれは、対向する直線状の二辺１１１１ａ及び１１１１ｂ（又は、１１１１ｃ及び１１１１ｄ）を有して形成されており、且つ、複数の第４領域１１０６のそれぞれに配置され、複数の第４領域１１０６のそれぞれにおいて、当該第４領域１１０６に配置された第５領域１１０７は、当該第４領域１１０６に対して透過率が異なり、複数の第４領域１１０６においては、複数の透過率Ｔ１１０１，Ｔ１１０２が段階的に変化するように設定されており、判断用領域１１０５は複数の第５領域１１０７であり、複数の第５領域１１０７のそれぞれは、二辺１１１１ａ及び１１１１ｂ（又は、１１１１ｃ及び１１１１ｄ）が交わるように形成され、且つ、二辺１１１１ａ及び１１１１ｂ（又は、１１１１ｃ及び１１１１ｄ）の外側において第４領域１１０６と隣接しており、第５領域１１０７における基準長Ｌ１１０１，Ｌ１１０２は、当該第５領域１１０７の所定位置における二辺１１１１ａ及び１１１１ｂ（又は、１１１１ｃ及び１１１１ｄ）の間の長さであり、大きさ判断部１１０４においては、複数の基準長Ｌ１１０１，Ｌ１１０２が、段階的に変化する複数の透過率Ｔ１１０１，Ｔ１１０２に対応して段階的に変化するように規定されている。
【０１４６】
そのため、検査用シートの複数の透過率が段階的に設定されているので、表面汚染部の明度を、容易且つ詳細に判断できる。また、基準長が、段階的に変化する複数の透過率に対応して段階的に規定されているので、透過率に対応させて表面汚染部の大きさを容易且つ詳細に判断できる。これにより、より良い精度で、空気調和機における良品・不良品の判断をすることができる。そのため、より効率的で無駄のない表面汚染度の評価が可能となる。また、検査シートの構成が簡易なものとなる。また、判断用領域の形状を変更せずに、基準長の長さを柔軟に変更することができる。
【０１４７】
また、判断用領域１１０５は無着色領域である。そのため、判断用領域が無着色領域であり、その周囲が着色領域となるために、判断用領域からはみ出してしまう表面汚染部を容易且つ確実に確認できる。
【０１４８】
なお、本実施形態では、第４領域、及び、第５領域が、それぞれ二つ形成されているが、これらは複数形成されていればよく、第４領域、第５領域の数は、それぞれ二つ以上であってもよい。また、本実施形態においては、第５領域は、二辺が交わるように形成されているが、このようなものには限られず、二辺が交わらないが、二辺の延長線が交わるように形成されているものであってもよい。
【０１４９】
以上、本発明の実施形態について図面に基づいて説明したが、具体的な構成は、これらの実施形態に限定されるものでないと考えられるべきである。本発明の範囲は、上記した実施形態の説明ではなく特許請求の範囲によって示され、さらに特許請求の範囲と均等の意味および範囲内でのすべての変更が含まれる。
【０１５０】
例えば、上記の実施形態では、検査用シートを、空気調和機の室内機の筐体表面の汚染度評価に使用するものとして説明しているが、本発明にかかる検査用シートは、室内機だけでなく、空気調和機の室外機の筐体表面の汚染度評価に使用されてもよい。
【０１５１】
上記のように、空気調和機（特に、空気調和機の室内機）の筐体に関しては、表面洗浄度に対する要求が高く、本発明に係る検査用シートを空気調和機に適用することで、筐体表面の表面汚染度に関して、効率的で無駄の無い評価が可能となる。なお、本発明にかかる検査用シートは、空気調和機の他、他の家庭用電化製品の筐体（筐体表面についての表面汚染度の評価を要する、塗装品、プラスチック成型品など）に適用することもできる。
【０１５２】
また、判断用領域の形状は、上記のようなものには限られず、例えば、四角形、五角形等であってもよい。
【産業上の利用可能性】
【０１５３】
本発明を利用すれば、効率的で無駄のない表面汚染度の評価が可能な検査用シートが得られる。
【図面の簡単な説明】
【０１５４】
【図１】本発明の第１実施形態に係る検査用シートの検査対象となる空気調和機を示す概略図である。
【図２】本発明の第１実施形態に係る検査用シートの使用状態を示す概略図である。
【図３】本発明の第１実施形態に係る検査用シートのうち、作成用シートの概略図である。
【図４】本発明の第１実施形態に係る検査用シートのうち、図１に示す判断用シートの概略図である。
【図５】図４の判断用シートを用いた表面汚染部の目視検査における検査手順を示すフローチャートである。
【図６】図４の判断用シートを用いた表面汚染部の目視検査の一実施状態示す概略図である。
【図７】図４の判断用シートを用いた表面汚染部の目視検査の一実施状態示す概略図である。
【図８】図４の判断用シートを用いた表面汚染部の目視検査の一実施状態示す概略図である。
【図９】本発明の第２実施形態に係る検査用シートを示す概略図である。
【図１０】本発明の第３実施形態に係る検査用シートを示す概略図である。
【図１１】本発明の第４実施形態に係る検査用シートを示す概略図である。
【図１２】本発明の第５実施形態に係る検査用シートを示す概略図である。
【図１３】本発明の第６実施形態に係る検査用シートを示す概略図である。
【図１４】本発明の第７実施形態に係る検査用シートを示す概略図である。
【図１５】本発明の第８実施形態に係る検査用シートを示す概略図である。
【図１６】本発明の第９実施形態に係る検査用シートを示す概略図である。
【図１７】本発明の第１０実施形態に係る検査用シートを示す概略図である。
【図１８】本発明の第１１実施形態に係る検査用シートを示す概略図である。
【図１９】本発明の第１２実施形態に係る検査用シートを示す概略図である。
【符号の説明】
【０１５５】
１，１０１，２０１，３０１，４０１，５０１，６０１，７０１，８０１，９０１，１００１，１１０１    検査用シート
１ｃ，１０１ｃ，２０１ｃ，３０１ｃ，４０１ｃ，５０１ｃ，６０１ｃ，７０１ｃ，８０１ｃ，９０１ｃ，１００１ｃ，１１０１ｃ    判断用シート
１ｐ    作成用シート
１ｔ，１０１ｔ，２０１ｔ，３０１ｔ，４０１ｔ，５０１ｔ，６０１ｔ，７０１ｔ，８０１ｔ，９０１ｔ，１００１ｔ，１１０１ｔ    透明シート
２ａ〜２ｇ，１０２ａ〜１０２ｑ，２０２ａ〜２０２ｅ，３０２ａ〜３０２ｃ，４０２ａ〜４０２ｄ，５０２ａ，５０２ｂ，６０２ａ〜６０２ｄ，７０２ａ，７０２ｂ，８０２ａ〜８０２ｅ，９０１ａ〜９０１ｋ，１００２ａ〜１００２ｄ，１１０２ａ〜１１０２ｄ    （複数の）領域
３，１０３，２０３，３０３，４０３，５０３，６０３，７０３，８０３，９０３，１００３，１１０３    明度判断部
４，１０４，２０４，３０４，４０４，５０４，６０４，７０４，８０４，９０４，１００４，１１０４    大きさ判断部
５，１０５，２０５，３０５，４０５，５０５，６０５，７０５，８０５，９０５，１００５，１１０５    判断用領域
６，１０６，２０６，３０６，４０６，５０６，６０６，７０６，８０６    第１領域
７，１０７，２０７，３０７，４０７，５０７，６０７，７０７，８０７    第２領域
６０８，７０８    第３領域
１００６，１１０６    第４領域
１００７，１１０７    第５領域
８ａ〜８ｆ    表面汚染部
１０    空気調和機の室内機（空気調和機）
１０ｓ    室内機の表面
６１１ａ，６１１ｂ，７１１ａ，７１１ｂ，１１１１ａ，１１１１ｂ，１１１１ｃ，１１１１ｄ    二辺
Ｌ１，Ｌ２，Ｌ１０１〜Ｌ１０５，Ｌ２０１，Ｌ３０１，Ｌ４０１，Ｌ５０１，Ｌ６０１，Ｌ７０１，Ｌ８０１，Ｌ８０２，Ｌ９０１〜Ｌ９０５、Ｌ１００１，Ｌ１００２，Ｌ１１０１，Ｌ１１０２    基準長
【要約】
【課題】効率的で無駄のない表面汚染度の評価が可能な検査用シートを提供する。
【解決手段】検査用シート１は、透明シート１ｔを有し、透明シート１ｔは、三つの透過率を有する七つの領域２ａ〜２ｇを備えている。領域２ａ〜２ｇは、それぞれが一つの透過率を有している。領域２ａ〜２ｇは、明度判断部３と、大きさ判断部４と、を形成するように配置されている。大きさ判断部４においては、表面汚染部８ｄ，８ｅの大きさと比較するための基準長Ｌ１，Ｌ２が、判断用領域５と、判断用領域５に隣接する領域と、の境界線上における２点の間の距離として規定されている。
【選択図】図８【図１】
0004192997.tif 000002
【図２】
0004192997.tif 000003
【図３】
0004192997.tif 000004
【図４】
0004192997.tif 000005
【図５】
0004192997.tif 000006
【図６】
0004192997.tif 000007
【図７】
0004192997.tif 000008
【図８】
0004192997.tif 000009
【図９】
0004192997.tif 000010
【図１０】
0004192997.tif 000011
【図１１】
0004192997.tif 000012
【図１２】
0004192997.tif 000013
【図１３】
0004192997.tif 000014
【図１４】
0004192997.tif 000015
【図１５】
0004192997.tif 000016
【図１６】
0004192997.tif 000017
【図１７】
0004192997.tif 000018
【図１８】
0004192997.tif 000019
【図１９】
0004192997.tif 000020